(57)【要約】      （修正有）【課題】分割面の発錆や分割面同士の突き合わせ不良による性能低下の問題を解決する分割鉄心型トランスを提供する。【解決手段】磁束を導磁する２分割型の分割鉄心と、２分割された分割鉄心の外周を囲むバンド４０と、このバンド４０により接合状態で固定された分割鉄心に装着されるコイル部材３０とを有する分割鉄心型トランスにおいて、前記バンド４０は、前記コイル部材３０を装着する部位に設けられて当該コイル部材３０の前記分割鉄心の周方向への移動を規制するコイル押さえ部材４６と、前記分割鉄心の接合部位のそれぞれに設けられて当該分割鉄心の周方向に直交する方向への位置ずれを規制するコア押さえ部材４５とを具備する。【選択図】図２
2010166060.tif 000002
【特許請求の範囲】
【請求項１】
磁束を導磁する分割型の分割鉄心及び当該分割鉄心に巻装される巻き線を有する搬送用トランスと、この搬送用トランスを接続する接続端子及び当該接続端子に接続した搬送用トランスに搬送波を注入する搬送波注入手段を備えた装置本体とを具備する搬送波注入装置において、前記装置本体に、前記搬送用トランスに流れる励磁電流に比例した電流を電圧に変換する変換手段と、この変換手段で変換した電圧を測定して前記分割鉄心の接合の適否を検出するための検出端子とを設けたことを特徴とする搬送波注入装置。
【請求項２】
請求項１において、前記装置本体が、前記搬送手段が前記搬送波として断続波を注入するモードと、前記搬送用トランスに連続波を印加して前記分割鉄心の接合状態を検出するモードとを切り替える切り替え手段をさらに具備することを特徴とする搬送波注入装置。
【請求項３】
請求項１又は２において、前記接続端子間の電圧と、前記検出端子間の電圧との比により、前記分割鉄心の接合状態の適否を判断することを特徴とする搬送波注入装置。
【請求項４】
請求項１〜３の何れかにおいて、前記装置本体は、前記搬送用トランスを貫通する電路に設けられた零相変流器を接続するための少なくとも一対の接続端子と、この接続端子に接続された零相変流器を介してＩ０漏洩電流を検出する検出手段とを具備し、Ｉ０絶縁検出器として機能することを特徴とする搬送波注入装置。
【請求項５】
請求項１〜３の何れかにおいて、前記装置本体は、監視電圧注入トランスを接続するための一対の電圧注入端子と、前記搬送用トランスを貫通する電路に設けられた零相変流器を接続するための少なくとも一対の接続端子と、この接続端子に接続された零相変流器を介して漏洩電流を検出する検出手段とを具備し、Ｉｇｒ絶縁検出器として機能することを特徴とする搬送波注入装置。
【請求項６】
請求項１〜５の何れかにおいて、前記分割鉄心の相対向する接合面は研磨面であり且つ防錆油が塗布されていることを特徴とする搬送波注入装置。
【請求項７】
磁束を導磁する２分割型の分割鉄心と、２分割された分割鉄心の外周を囲むバンドと、このバンドにより接合状態で固定された分割鉄心に装着されるコイル部材とを有する分割鉄心型トランスにおいて、前記バンドは、前記コイル部材を装着する部位に設けられて当該コイル部材の前記分割鉄心の周方向への移動を規制する位置決め部材と、前記分割鉄心の接合部位のそれぞれに設けられて当該分割鉄心の周方向に直交する方向への位置ずれを規制する位置ずれ防止部材とを具備することを特徴とする分割鉄心型トランス。
【請求項８】
請求項７において、前記位置決め部材は、前記一対の位置ずれ防止部材から等距離の位置に設けられていることを特徴とする分割鉄心型トランス。
【請求項９】
請求項７又は８において、前記分割鉄心の相対向する接合面は研磨面であり且つ防錆油が塗布されていることを特徴とする分割鉄心型トランス。
【請求項１０】
磁束を導磁する分割型の分割鉄心と、この分割鉄心に装着されるコイル部材とを有する分割鉄心型トランスの異常検出方法において、前記分割鉄心型トランスに電圧を印加してその電圧を第１の電圧として測定する一方、前記分割鉄心型トランスに流れる励磁電流に比例した電流を電圧に変換して当該電圧を第２の電圧として測定し、前記第１の電圧を前記第２の電圧との電圧比から前記分割鉄心の接合状態の適否を判断することを特徴とする分割鉄心型トランスの異常検出方法。
【請求項１１】
請求項１０において、前記接合状態の適否の判断基準として、許容限界の接合状態の電圧比を基準値として予め測定しておくことを特徴とする分割鉄心型トランスの異常検出方法。
【発明の詳細な説明】
【技術分野】
【０００１】
本発明は分割鉄心型搬送用トランスに関し、詳しくは、接地線などに容易にクランプすることができるように工夫したものである。
【背景技術】
【０００２】
従来の絶縁監視装置のシステム構成の一例を図７に示す。同図に示すように、このシステム構成では、変圧器２０１の低圧側の活線２０２、接地相２０３及び活線２０４のうち、接地相２０３には、接地線２０５が接続されており、この接地線２０５に搬送波注入トランス２０６、監視電圧注入トランス２０７、及び検出用変流器２０８を設け、これらに信号搬送装置２０９及び検出装置２１０を接続している。そして、Ｉｇｒ方式では、監視電圧注入トランス２０７により監視電圧を接地線２０５に重畳させて絶縁不良を監視するものであり、監視電圧に対する漏れ電流を検出用変流器２０８で検出し、警報信号を搬送波注入トランス２０６を介して搬送する。この場合、監視電圧注入トランス２０７と搬送波注入トランス２０６を一体化させ、双方の機能を併せ持つ注入トランスを使用する場合もある。一方、Ｉ０方式では、非接地側電線（活線）の絶縁低下による漏れ電流を検出用変流器２０８により検出するものであり、警報信号を搬送するための搬送波注入トランス２０６は必要であるが、監視電圧注入トランス２０７は不要である。なお、このように搬送された警報信号は、受信装置２１１で受信されるが、受信装置２１１には、発信装置又は通報装置２１２が接続又は一体的に設けられている。
【０００３】
ここで、搬送波注入トランス２０６、監視電圧注入トランス２０７、及び検出用変流器２０８には、接地線２０５への取り付けを考慮し、分割鉄心型トランスが用いられる場合がある。
【０００４】
このような分割鉄心型トランスは、取り付けが容易ではあるが、分割面の発錆や分割面同士の突き合わせ不良による性能低下が問題となっている。そこで、鉄心の分割面に磁性体ゴムを挿入して固定して水分の浸入を防止したもの（特許文献１参照）が提案されている。また、分割面の取り付けの異常を検出する異常検出テストを行い、検出コイルに電圧を印加・遮断したときに発生する逆起電力の大きさで異常を検出するというものがある（特許文献２参照）。さらに、ヒンジを介して開閉式のクランプ式の分割型電流センサの開閉状態を光センサにより検出するものがある（特許文献３参照）。
【０００５】
しかしながら、何れにしても、作業現場で組み立てた接合不良を、特別な装置を用いることなく、簡便に検出することができるものではない。
【先行技術文献】
【特許文献】
【０００６】
【特許文献１】実開昭５７−１６８２２３号公報
【特許文献２】特開２００３−１４９２７５号公報
【特許文献３】特開２００１−１５３８８９号公報
【発明の概要】
【発明が解決しようとする課題】
【０００７】
本発明は、分割型トランスの接合不良を特別な装置を用いることなく、簡便に検出することができる搬送波注入装置、分割鉄心型トランス及びその異常検出方法を提供することを課題とする。
【課題を解決するための手段】
【０００８】
前記課題を解決する本発明の第１の態様は、磁束を導磁する分割型の分割鉄心及び当該分割鉄心に巻装される巻き線を有する搬送用トランスと、この搬送用トランスを接続する接続端子及び当該接続端子に接続した搬送用トランスに搬送波を注入する搬送波注入手段を備えた装置本体とを具備する搬送波注入装置において、前記装置本体に、前記搬送用トランスに流れる励磁電流に比例した電流を電圧に変換する変換手段と、この変換手段で変換した電圧を測定して前記分割鉄心の接合の適否を検出するための検出端子とを設けたことを特徴とする搬送波注入装置にある。
【０００９】
かかる第１の態様では、接続端子を介して搬送用トランスに印加される電圧を測定すると共に、検出端子を介して励磁電流に比例した電流を変換した電圧を測定し、両者の比により接合状態の適否を検出する。
【００１０】
本発明の第２の態様は、第１の態様において、前記装置本体が、前記搬送手段が前記搬送波として断続波を注入するモードと、前記搬送用トランスに連続波を印加して前記分割鉄心の接合状態を検出するモードとを切り替える切り替え手段をさらに具備することを特徴とする搬送波注入装置にある。
【００１１】
かかる第２の態様では、切り替え手段により連続波に切り替えて接合状態の適否を検出することができる。
【００１２】
本発明の第３の態様は、第１又は２の態様において、前記接続端子間の電圧と、前記検出端子間の電圧との比により、前記分割鉄心の接合状態の適否を判断することを特徴とする搬送波注入装置にある。
【００１３】
かかる第３の態様では、接続端子間の電圧と、前記検出端子間の電圧との比を、予め求めた基準値と比較することにより、適否を判断することができる。
【００１４】
本発明の第４の態様は、第１〜３の何れかの態様において、前記装置本体は、前記搬送用トランスを貫通する電路に設けられた零相変流器を接続するための少なくとも一対の接続端子と、この接続端子に接続された零相変流器を介してＩ０漏洩電流を検出する検出手段とを具備し、Ｉ０絶縁検出器として機能することを特徴とする搬送波注入装置にある。
【００１５】
かかる第４の態様では、搬送注入装置は、Ｉ０漏洩電流検出装置として機能する。
【００１６】
本発明の第５の態様は、第１〜３の何れかの態様において、前記装置本体は、監視電圧注入トランスを接続するための一対の電圧注入端子と、前記搬送用トランスを貫通する電路に設けられた零相変流器を接続するための少なくとも一対の接続端子と、この接続端子に接続された零相変流器を介して漏洩電流を検出する検出手段とを具備し、Ｉｇｒ絶縁検出器として機能することを特徴とする搬送波注入装置にある。
【００１７】
かかる第５の態様では、搬送注入装置は、Ｉｇｒ絶縁検出装置として機能する。
【００１８】
本発明の第６の態様は、第１〜５の何れかの態様において、前記分割鉄心の相対向する接合面は研磨面であり且つ防錆油が塗布されていることを特徴とする搬送波注入装置にある。
【００１９】
かかる第６の態様では、防錆油の種類によってはこれの塗布により、分割面の接合状態が向上する。
【００２０】
本発明の第７の態様は、磁束を導磁する２分割型の分割鉄心と、２分割された分割鉄心の外周を囲むバンドと、このバンドにより接合状態で固定された分割鉄心に装着されるコイル部材とを有する分割鉄心型トランスにおいて、前記バンドは、前記コイル部材を装着する部位に設けられて当該コイル部材の前記分割鉄心の周方向への移動を規制する位置決め部材と、前記分割鉄心の接合部位のそれぞれに設けられて当該分割鉄心の周方向に直交する方向への位置ずれを規制する位置ずれ防止部材とを具備することを特徴とする分割鉄心型トランスにある。
【００２１】
かかる第７の態様では、分割型鉄心の接合状態が良好な状態で比較的簡便に組み立てることができ、且つコイル部材の位置ずれを防止することができる。
【００２２】
本発明の第８の態様は、第７の態様において、前記位置決め部材は、前記一対の位置ずれ防止部材から等距離の位置に設けられていることを特徴とする分割鉄心型トランスにある。
【００２３】
かかる第８の態様では、分割面に対してコイル部材を理想的な位置に設けることができる。
【００２４】
本発明の第９の態様は、第７又は８の態様において、前記分割鉄心の相対向する接合面は研磨面であり且つ防錆油が塗布されていることを特徴とする分割鉄心型トランスにある。
【００２５】
かかる第９の態様では、防錆油の種類によってはこれの塗布により、分割面の接合状態が向上する。
【００２６】
本発明の第１０の態様は、磁束を導磁する分割型の分割鉄心と、この分割鉄心に装着されるコイル部材とを有する分割鉄心型トランスの異常検出方法において、前記分割鉄心型トランスに電圧を印加してその電圧を第１の電圧として測定する一方、前記分割鉄心型トランスに流れる励磁電流に比例した電流を電圧に変換して当該電圧を第２の電圧として測定し、前記第１の電圧を前記第２の電圧との電圧比から前記分割鉄心の接合状態の適否を判断することを特徴とする分割鉄心型トランスの異常検出方法にある。
【００２７】
かかる第１０の態様では、分割鉄心型トランスに印加される第１の電圧と、分割鉄心型トランスに流れる励磁電流に比例した電流を変換した第２の電圧との電圧比から前記分割鉄心の接合状態の適否を判断することができる。
【００２８】
本発明の第１１の態様は、第１０の態様において、前記接合状態の適否の判断基準として、許容限界の接合状態の電圧比を基準値として予め測定しておくことを特徴とする分割鉄心型トランスの異常検出方法にある。
【００２９】
かかる第１１の態様では、許容限界の接合状態を電圧比の基準値として予め測定しておくことにより、接合状態の適否を判断する。
【発明の効果】
【００３０】
本発明の搬送波注入装置、搬送用トランスに流れる励磁電流に比例した電流を電圧に変換する変換手段と、この変換手段で変換した電圧を測定して前記分割鉄心の接合の適否を検出するための検出端子とを設けたので、接続端子を介して搬送用トランスに印加される電圧を測定すると共に、検出端子を介して励磁電流に比例した電流を変換した電圧を測定し、両者の比により接合状態の適否を検出することができる。
【図面の簡単な説明】
【００３１】
【図１】本発明の分割鉄心型トランスの斜視図である。
【図２】本発明の分割鉄心型トランスの分解斜視図である。
【図３】本発明の分割鉄心型トランスの分解斜視図である。
【図４】本発明の分割鉄心型トランスの平面図である。
【図５】本発明の分割鉄心型トランスの側面図である。
【図６】本発明の分割鉄心型トランスを用いた搬送波注入装置のブロック図である。
【図７】従来技術に係る絶縁監視装置のシステム構成の一例を示す説明図である。
【発明を実施するための形態】
【００３２】
以下、本発明を一実施形態に基づいて説明する。
【００３３】
図１には本発明の分割鉄心型トランスの全体斜視、図２及び図３にはその分解斜視、図４及び図５にはその平面、側面をそれぞれ示す。これらの図面に示すように、分割鉄心型トランス１０は、分割型鉄心２０とコイル部材３０とを具備する。分割型鉄心２０は、略楕円形状の磁性材料からなる鉄心を２分割した２つのカットコア２１及び２２からなり、カットコア２１及び２２は、分割面２１ａ及び２２ａ同士を相対向して接合させた状態で固定バンド４０により固定・保持されている。
【００３４】
固定バンド４０は、分割型鉄心２０の外周面を囲む帯状のバンド本体４１と、バンド本体４１の両端部を折り返して設けられた折り返し部４１ａに嵌合されたピン４２，４３と、一方のピン４２の折り返し部４１ａの切り欠き部４１ｂから露出した部分に形成された貫通孔４２ａを貫通し、他方のピン４３の切り欠き部４１ｂから露出した部分に形成された雌ねじ部４３ａに螺合するねじ４４とを具備し、ねじ４４を適度に雌ねじ部４３ａに螺合することにより、一対のカットコア２１及び２２を固定保持するものである。また、固定バンド４０のバンド本体４１のカットコア２１及び２２の分割面２１ａ、２２ａに対向する位置の外側にコア押さえ部材４５が、コイル部材３０を取り付ける位置の外側にはコイル押さえ部材４６が、それぞれ接合されている。ここで、コア押さえ部材４５は、バンド本体４１の幅方向両側で内側に屈曲した屈曲部４５ａを有し、両側の屈曲部４５ａにより、カットコア２１，２２の分割面２１ａ，２２ａ同士のずれを防止するものである。また、コイル押さえ部材４６は、バンド本体４１の長手方向両端に外側に突出した突出部４６ａを有し、突出部４６ａ間にコイル部材３０を位置決め保持するものである。
【００３５】
コイル部材３０は、カットコア２１及びバンド本体４１がほぼ密着した状態で貫通する貫通孔３１ａを有するボビン３１と、ボビン３１に巻回されたコイル３２とを具備し、コイル３２の表面は収縮チューブ３３により覆われ、コイル３２の端部には接続端子３４が設けられたものである。
【００３６】
このような分割鉄心型トランス１０は、以下のようにして簡便に且つ接合状態良好に組み立てることができる。まず、バンド本体４１をコイル部材３０のボビン３１の貫通孔３１ａに貫通させ、コイル押さえ部材４６の突出部４６ａの間に保持し、この状態で貫通孔３１ａに一方のカットコア２１を挿入する。このときカットコア２１とバンド本体４１とは密着状態で貫通孔３１ａ内で保持され、コイル押さえ部材４６の突出部４６ａに保持されたコイル部材３０は位置決めされる。次いで、カットコア２１の分割面２１ａに他方のカットコア２２の分割面２２ａを相対向させ、カットコア２２の外周面に沿わせてバンド本体４１を配置し、一方の端部のピン４２に貫通させたねじ４４を他方のピン４３の雌ねじ部４３ａに螺合していく。また、このとき、分割面２１ａ，２２ａは、コア押さえ部材４５の略中央部に位置するように配置し、コア押さえ部材４５の屈曲部４５ａにより、分割面２１ａ，２２ａ近傍の端部の厚さ方向両端側が押さえられ、分割面２１ａ，２２ａ同士の接合ずれが防止される。そして、この状態でねじ４４をねじ込んでいってピン４２とピン４３とを近接させて、バンド本体４１によりカットコア２１，２２を締め上げ固定する。これにより、分割鉄心型トランス１０が比較的容易に、且つ良好な接合状態で組み立てられる。
【００３７】
ここで、カットコア２１及び２２の分割面２１ａ，２２ａは、メッキや塗装をすることなく、研磨面のままとし、防錆油を塗布した状態とするのが好ましい。防錆のためには、メッキや塗装が行なわれることもあるが、この際に励磁電流の増加があり、性能が実使用上問題になるレベルに劣化することを、発明者らは実験により知見した。
【００３８】
上述したように分割鉄心型トランス１０は、比較的容易に、且つ良好な接合状態で組み立てられるが、接合が微妙にずれたり、ゴミなどがはさまったりすることもあり、組み立て後には接合状態を検査するのが好ましい。次に、このような分割鉄心型トランス１０の分割面２１ａ，２２ａの接合状態を特別な装置を用いることなく、比較的簡便に検査できる異常検出方法及びこのような異常検査システムを有する搬送波注入装置について説明する。
【００３９】
図６に示すように、搬送波注入装置１００は、上述した分割鉄心型トランス１０と、検査装置本体６０とを具備し、検査装置本体６０には、分割鉄心型トランス１０を接続するための一対の接続端子６１ａ，６１ｂを具備する。また、検査装置本体６０にはＣＰＵを内蔵する制御部６２を具備する。分割鉄心型トランス１０へ注入される搬送波は、制御部６２で形成され、制御部６２の搬送波出力端子６２ａは、バンドパスフィルタ６３を介して接続された増幅手段６４で増幅されて接続端子６１ａに送出されるようになっている。すなわち、制御部６２，バンドパスフィルタ６３及び増幅手段６４は搬送波注入手段として機能する。一方、接続端子６１ａを介して分割鉄心型トランス１０へ流入する励磁電流は、増幅手段６４を介してバンドパスフィルタ６５に出力されるようになっており、変換手段としてのバンドパスフィルタ６５で電圧に変換されて検出端子６６ａ，６６ｂにより電圧として検出できるようになっている。さらに、検出装置本体６０には、検出用零相変流器７１，７２をそれぞれ接続するための二組の接続端子６７及び６８を具備し、接続端子６７及び６８のそれぞれは、Ｉ０検出用のアナログフィルタ６９を介して、制御部６２のアナログ・デジタル変換端子６２ｂ，６２ｃに接続されている。また、検出器本体６０には、搬送波を断続波出力にするモードと、連続波出力とするモードとの切り替えをするためのモード切替スイッチ７０を有する。さらに、このような搬送波注入装置１００は、分割鉄心型トランス１０へ搬送波を注入するだけでなく、検出用零相変流器７１，７２を接続することにより、Ｉ０絶縁検出器として機能するものである。
【００４０】
以下、このような搬送波注入装置１００において、分割鉄心型トランス１０の接合状態の適否を検出する方法について説明する。ここで、分割鉄心型トランス１０は、変圧器８１に接続される接地線８２をカットコア２１及び２２で挟み込むようにして、上述したように組み立てたものとする。また、接地線８２には、検出用零相変流器７１，７２が取り付けられているものとする。
【００４１】
まず、簡便な接合状態のチェック方法を説明する。検査に先駆けて、モード切替スイッチ７０を連続波出力とし、制御部６２、バンドパスフィルタ６３及び増幅手段６４からなる搬送波注入手段により連続波の搬送波を分割鉄心型トランス１０へ注入する。このとき、分割鉄心型トランス１０には約４Ｖ、１４７２Ｈｚの電圧が印加されるように設定されているが、約±３０％の範囲での変動が許容されている。そこで、まず、接続端子６１ａ，６１ｂ間の電圧を測定し、これをＸ（Ｖ）とする。次に、検出端子６６ａ，６６ｂ間の電圧を測定し、これをＹ（Ｖ）とする。この電圧は、分割鉄心型トランス１０の励磁電流に比例する電流がバンドパスフィルタ６５により電圧に変換された値である。そして、Ｘ／Ｙを算出し、この値が基準値Ｚ以上であれば、接合状態に問題はないと判断する。
【００４２】
ここで、電圧Ｘ及びＹの検出は、一般的なテスターで行うことができるが、この場合には、１４７２Ｈｚを、例えば、誤差２％より良い精度で計測できるデジタルメータを用いることができ、電圧Ｘ及びＹを同一の計測器で計測するのが好ましい。
【００４３】
ここで、基準値Ｚは、許容限界の接合状態をシミュレーションして予め測定しておく必要がある。許容限界の状態は、使用条件等によっても異なるが、例えば、分割鉄心型トランス１０に検査用電路を挿通させて当該検査用電路に流れる搬送波の波形をモニターし、接合状態を変化させる。例えば、ねじ４４の締め付け方を変化させたり、故意に分割面間に樹脂フィルムを挟持したりする。そして、例えば、搬送波が歪みはじめた際のＸ及びＹを検出し、このときのＸ／Ｙを基準値Ｚとし、これ以上だった場合を接合状態良好とする。なお、基準値Ｚ＝Ｘ／Ｙの代わりにＹ／Ｘを使用してもよいことはいうまでもない。
【００４４】
なお、接合状態が基準値Ｚより小さかった場合には、分割面同士の接合状態の微調整を行えばよい。また、基準値Ｚよりかなり小さい場合には、分割面間にゴミ等が挟まっている可能性があるので、分解して分割面の清掃を行ない、防錆油を再塗布したりすればよい。
【００４５】
このような簡便なチェック方法によって基準値に近いが若干小さいなど、適否の判断が微妙な場合には、分割鉄心型トランス１０へ印加されている電圧と、励磁電流自体を測定し、電流基準値以下であるか否かで判断するようにしてもよいが、この場合には、電流値を高精度に測定するための比較的高価な電流計が必要となる。
【００４６】
何れにしても、分割鉄心型トランス１０の接合状態が良好であることが確認された後、このようなモード切替スイッチ７０を切り替えて正規の通報用出力形態である断続波とし、分割鉄心型トランス１０へ注入する。
【００４７】
また、搬送波注入装置１００は、分割鉄心型トランス１０へ搬送波を注入するだけでなく、接続端子６７，６８に接続された検出用零相変流器７１，７２によりＩ０漏洩電流を測定するＩ０絶縁検出器として使用することができる。
【００４８】
（試験例）
上述した分割鉄心型トランス１０について基準値Ｚを決定するために、許容限界の接合状態をシミュレーションして予め測定する方法の一例を以下に説明する。
【００４９】
分割鉄心型トランス１０を以下の状態で組み立てて検査用電路を挿通させて当該検査用電路に流れる搬送波の波形をモニターする一方、Ｘ（Ｖ）及びＹ（Ｖ）を測定した。また、接続端子６１ａに流入する励磁電流も測定した。
（１）通常状態で組み立てたもの。
（２）ねじ４４を緩めに締め付けたもの。
（３）分割面２１ａ，２２ａ間に、厚さ２５μｍの樹脂フィルムを挟んだ状態で組み立てたもの。
（４）分割面２１ａ，２２ａ間に、厚さ５０μｍの樹脂フィルムを挟んだ状態で組み立てたもの。
【００５０】
この結果を表１に示す。（１）、（２）の状態では搬送波は歪みがないが、（３）の状態では歪み始めた状態が観察され、（４）では歪んでいた。また、励磁電流は（１）から（４）まで徐々に大きくなった。
【００５１】
よって、この場合、（３）の状態を許容限界とし、このときのＸ／Ｙ＝３．８１を基準値とした。
【００５２】
【表１】
2010166060.tif 000003
【産業上の利用可能性】
【００５３】
本発明の分割鉄心型トランス及びその異常検出方法は、搬送波注入装置だけでなく、各種変流器など、分割鉄心を有するものに適用可能である。
【符号の説明】
【００５４】
１０  分割鉄心型トランス
２０  分割型鉄心
２１，２２  カットコア
３０  コイル部材
４０  固定バンド
１００  搬送波注入装置
【図１】
2010166060.tif 000004
【図２】
2010166060.tif 000005
【図３】
2010166060.tif 000006
【図４】
2010166060.tif 000007
【図５】
2010166060.tif 000008
【図６】
2010166060.tif 000009
【図７】
2010166060.tif 000010
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
磁束を導磁する２分割型の分割鉄心と、２分割された分割鉄心の外周を囲むバンドと、このバンドにより接合状態で固定された分割鉄心に装着されるコイル部材とを有する分割鉄心型トランスにおいて、前記バンドは、前記コイル部材を装着する部位に設けられて当該コイル部材の前記分割鉄心の周方向への移動を規制する位置決め部材と、前記分割鉄心の接合部位のそれぞれに設けられて当該分割鉄心の周方向に直交する方向への位置ずれを規制する位置ずれ防止部材とを具備することを特徴とする分割鉄心型トランス。
【請求項２】
請求項１において、前記位置決め部材は、前記一対の位置ずれ防止部材から等距離の位置に設けられていることを特徴とする分割鉄心型トランス。
【請求項３】
請求項１又は２において、前記分割鉄心の相対向する接合面は研磨面であり且つ防錆油が塗布されていることを特徴とする分割鉄心型トランス。
【手続補正３】
【補正対象書類名】明細書
【補正対象項目名】０００７
【補正方法】変更
【補正の内容】
【０００７】
本発明は、分割面の発錆や分割面同士の突き合わせ不良による性能低下の問題を解決する分割鉄心型トランスを提供することを課題とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
本発明の第１の態様は、磁束を導磁する２分割型の分割鉄心と、２分割された分割鉄心の外周を囲むバンドと、このバンドにより接合状態で固定された分割鉄心に装着されるコイル部材とを有する分割鉄心型トランスにおいて、前記バンドは、前記コイル部材を装着する部位に設けられて当該コイル部材の前記分割鉄心の周方向への移動を規制する位置決め部材と、前記分割鉄心の接合部位のそれぞれに設けられて当該分割鉄心の周方向に直交する方向への位置ずれを規制する位置ずれ防止部材とを具備することを特徴とする分割鉄心型トランスにある。
【手続補正１７】
【補正対象書類名】明細書
【補正対象項目名】００２１
【補正方法】変更
【補正の内容】
【００２１】
かかる第１の態様では、分割型鉄心の接合状態が良好な状態で比較的簡便に組み立てることができ、且つコイル部材の位置ずれを防止することができる。
【手続補正１８】
【補正対象書類名】明細書
【補正対象項目名】００２２
【補正方法】変更
【補正の内容】
【００２２】
本発明の第２の態様は、第１の態様において、前記位置決め部材は、前記一対の位置ずれ防止部材から等距離の位置に設けられていることを特徴とする分割鉄心型トランスにある。
【手続補正１９】
【補正対象書類名】明細書
【補正対象項目名】００２３
【補正方法】変更
【補正の内容】
【００２３】
かかる第２の態様では、分割面に対してコイル部材を理想的な位置に設けることができる。
【手続補正２０】
【補正対象書類名】明細書
【補正対象項目名】００２４
【補正方法】変更
【補正の内容】
【００２４】
本発明の第３の態様は、第１又は２の態様において、前記分割鉄心の相対向する接合面は研磨面であり且つ防錆油が塗布されていることを特徴とする分割鉄心型トランスにある。
【手続補正２１】
【補正対象書類名】明細書
【補正対象項目名】００２５
【補正方法】変更
【補正の内容】
【００２５】
かかる第３の態様では、防錆油の種類によってはこれの塗布により、分割面の接合状態が向上する。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】